(57)【要約】本発明による検眼表は一組の識別可能記号から選択される複数の記号を有する。一組の記号は３，４，６，７および９の数字ならびにＡ，Ｅ，Ｆ，Ｈ，Ｊ，Ｋ，Ｌ，Ｐ，Ｔ，ＸおよびＹの文字で構成される。一形態において一組の記号は図形を更に含む。本発明の視力検査方法は、人による検眼表上の少なくとも二つの文字、数字、および図形の識別精確性に関する値を記録し、かつ左右の目について、複数値を比較することを含む。記号は識別可能であるので、視力について記録された値は精確でありかつ各記録と整合する。更に、その値は神経障害または疾患の試験の補助に使用され得る。他の形態において、検眼表は赤色および黒色の記号を有する。他の形態において、検眼表は着色背景上に様々な色彩の記号を有する。着色記号の識別精確性は記録、比較され、かつ色盲診断の補助に使用される。
2004512077.tif 000002
【特許請求の範囲】
【請求項１】
複数の記号を含み、前記記号が複数の線内に配置され、各線が特定視力を表示し、前記記号がＡ，Ｅ，Ｆ，Ｈ，Ｊ，Ｋ，Ｌ，Ｐ，Ｔ，ＸおよびＹの文字、ならびに３，４，６，７および９の数字で事実上構成される一組の記号から選択されている、患者の視力検査用検眼表。
【請求項２】
前記記号は前記一組の記号から選択された複数の文字で事実上構成されている、請求項１の検眼表。
【請求項３】
前記記号は前記一組の記号から選択された複数の数字で事実上構成されている、請求項１の検眼表。
【請求項４】
複数の記号を含み、前記記号が複数の線内に配置され、各線が特定視力を表示し、各前記記号が複数のストロークにより形成され、かつ各前記記号が、他の記号を形成するストロークから区別できる少なくとも二つのストロークを有することにより、他の記号から識別できる、患者の視力検査用検眼表。
【請求項５】
各前記ストロークの幅は１分の弧を越える大きさに対応する、請求項４の検眼表。
【請求項６】
各前記記号は図形を含む、請求項４の検眼表。
【請求項７】
少なくとも一つの記号は黒色を有し、かつ少なくとも一つの記号は赤色および緑色で構成される群から選択された色彩を有する、請求項１の検眼表。
【請求項８】
背景を更に含む、請求項１の検眼表。
【請求項９】
前記背景の色彩は白色、黒色および灰色で構成される群から選択されている、請求項８の検眼表。
【請求項１０】
前記背景は複数の点を含み、各点は色彩を有し、前記色彩は赤色、紫色、灰色、黄色、およびそれらの組合わせで構成される群から選択されている、請求項８の検眼表。
【請求項１１】
前記記号は第一組および第二組の記号に分割されている、請求項１の検眼表。
【請求項１２】
前記第一組の記号は前記一組の記号から選択された複数の文字で事実上構成され、かつ前記第二組の記号は前記一組の記号から選択された複数の数字で事実上構成されている、請求項１１の検眼表。
【請求項１３】
前記第一組の記号から患者がその記号を精確に識別できる精確性を表示する第一値を記録する工程、
前記第二組の記号から患者がその記号を精確に識別できる精確性を表示する第二値を記録する工程、および
前記第一値と前記第二値を比較する工程を含む、請求項１の検眼表を使用して患者の視力を試験する方法。
【請求項１４】
前記第一組の記号は第一色彩を有し、かつ前記第二組の記号は第二色彩を有する、請求項１３の方法。
【請求項１５】
前記第一組の記号は前記一組の記号から選択された複数の数字で事実上構成され、かつ前記第二組の記号は前記一組の記号から選択された複数の文字で事実上構成されている、請求項１３の方法。
【請求項１６】
各前記記号はアルファベットの文字を含む、請求項６の検眼表。
【請求項１７】
各前記記号は数字を含む、請求項６の検眼表。
【請求項１８】
複数の線内に配置され、各前記線が特定視力を表示し、Ａ，Ｅ，Ｆ，Ｈ，Ｊ，Ｋ，Ｌ，Ｐ，Ｔ，ＸおよびＹの文字、ならびに３，４，６，７および９の数字で事実上構成される一組の記号から選択されている複数の記号を含む検眼表を用意する工程、および
前記複数の線の少なくとも一つから患者がその記号を精確に識別できる精確性を表示する値を記録する工程を含む患者の視力を検査する方法。
【請求項１９】
前記線が第一線であり、かつ前記値が第一値であり、
前記方法が前記複数の線の第二線から患者がその記号を精確に識別できる精確性を表示する第二値を記録する工程を更に含む、請求項１８の方法。
【請求項２０】
アルファベットから選択された複数の文字、および複数の数字を含み、前記文字および数字が複数の線内に配置され、各前記線が特定視力を表示する検眼表を用意する工程、
前記複数の線の少なくとも一つの線から患者がその文字を精確に識別できる精確性を表示する第一値を記録する工程、
前記複数の線の少なくとも一つの線から患者がその数字を精確に識別できる精確性を表示する第二値を記録する工程、および
前記第一値と前記第二値とを比較する工程を含む神経疾患患者を試験する方法。
【請求項２１】
第一および第二試験結果を得るために前記工程を反復する工程、および前記第一試験結果と第二試験結果とを比較する工程を更に含む、請求項２０の方法。
【請求項２２】
前記第一試験結果を得た後に少なくとも一カ月以内に前記第二試験結果を得る、請求項２１の方法。
【請求項２３】
複数の線内に配置され、各前記線が特定視力を表示する、赤色の複数の記号および赤色以外の複数の記号を含む検眼表を用意する工程、
前記複数の線の少なくとも一つの線から患者が赤色の記号を精確に識別できる精確性を表示する第一値を記録する工程、
前記複数の線の少なくとも一つの線から患者が赤色以外の記号を精確に識別できる精確性を表示する第二値を記録する工程、および
前記第一値と前記第二値とを比較する工程を含む、患者の赤色認知力を試験する方法。
【請求項２４】
前記赤色以外の色は黒色および緑色から選択されている、請求項２３の方法。
【発明の詳細な説明】
【０００１】
〔発明の属する技術分野〕
本発明は明白に区別できる記号を有する検眼表に関する。具体的には、本発明による検眼表は記号（ｓｙｍｂｏｌｓ）による複数の線を有し、前記記号は一組の明白に区別できる記号から選択される。前記記号は文字、数字、および図形（ｐｉｃｔｏｒｉａｌ ｏｂｊｅｃｔｓ）の少なくとも一つを含む。一形態において、第一組の記号は第一色彩を有し、かつ第二組の記号は第二色彩を有する。本発明の検眼表は視力の一貫性のある定量化を可能にし、神経疾患、眼科疾患、色彩視力喪失、およびおよび網膜ジストロフィの試験、分析、診断、および監視、ならびに薬物の有効性および投与量を監視するのに役立つ。
【０００２】
［発明の背景］
スネレン（Ｓｎｅｌｌｅｎ）試験は代表例として視力を測定するために使用される。スネレン試験はスネレン表から一定距離をおいて検眼表からアルファベットの黒色文字を患者に確認させる。代表例として、医師は、患者が例えば、２０／２０を完全に判読するスネレン表上の線に関する値を記録する。患者が２０／２０線上のある文字を読み間違えた場合に、医師は２０／２０マイナスについて『２０／２０−』と記載する。医師によってはジャガー（Ｊａｅｇｅｒ）カードを使用して患者の視力を検査する。ジャガーカードの視力値は、例えば、Ｊ２，Ｊ４およびＪ６と記録される。
【０００３】
スネレンは、正常視力を有する人を、白色背景上の黒色図形について１分の弧の閾値視角を有すると定義することにより、一般的に使用される検眼表を考案した。正常視力を有する人は２０／２０（６／６）の視覚（視力）を有する。２０／２０（６／６）視力は、２０フィート（約６ｍ）のところから読むように設計された文字を２０フィート（６ｍ）のところで読んだ人を意味する。
【０００４】
スネレン表の文字識別の精確性は表に関するユーザの経験、文字の読解力、文字への親近感、および心理的要因に基礎をおく。更に、精確性は、表の文字が等しく判読可能か否か、または或る不明瞭な解釈が或る文字の形状の特徴によるか否かに依存する。例えば、Ｃの文字と比較した場合、相対的にＧは識別困難であり、かつＬは識別しやすい。
【０００５】
代表例として、記号の細部は目から距離が離れるにつれて（またはフォントが小さくなるにつれて）不明瞭であり、従って、識別は更に困難になる。或る臨床医は、或る記号は似たように形成され、かつ所定距離では著しく同じように見えると認識している。結果として、臨床医は、ある時には、著しく似かよった記号を精確に識別する視力試験を人がすることを信用し、またある時には正確な記号を精確に識別することのみを信用する。この種の主観的判断は視力の一貫性のない定量化に通じる。
【０００６】
子供を含む文盲の人の視力試験は、典型的には、記号で構成される線を有する指定文盲用の表を利用する。この表は典型的には「タンブリング（Ｔｕｍｂｌｉｎｇ）」、回転したＥの文字を有し、人はＥの文字の方向を指で識別する。視力検査に使用される文盲用の他の表は識別するための図形を含み、かつＨＯＴＶ表はＨＯＴＶ試験用である。ＨＯＴＶ試験において、人は各試験文字を、人が手に持つことのできるカード上に印刷された四つのＨ，Ｏ，Ｔ，またはＶの文字の一つに合わせる。
【０００７】
代表例として、色盲に関して患者はイシハラ（Ｉｓｈｉｈａｒａ）プレートを使用して試験を受ける。イシハラプレートは彩色散点背景上に彩色散点記号を有する。代表例として、赤−緑模様の喪失が最も一般的である。
【０００８】
後頭下部皮質損傷、神経疾患、発作、多発性硬化症および他の障害は典型的には色彩感覚に悪影響を及ぼしかつそれを崩壊する。色彩感覚の崩壊は、結果として飽和した色彩または純粋な色彩、特に赤色の鮮明さに対する感度を低下させる。赤色脱飽和の試験は、しばしば、点眼液の瓶の蓋等の赤色物を患者に観察させて脱飽和程度を測定することにより臨床的に行なわれる。
【０００９】
［発明の概要］
本発明による検眼表は、複数の線を有し、各線は一組の記号から選択された複数の記号を含む。一組の記号は文字および数字を含み、一組の各記号は実質的に同一サイズおよび識別できる特徴を有する。一形態において、一組の記号は更に図形を含む。図形は混同しない明白に区別できる形状を有する。
【００１０】
本発明の視力試験方法は、患者による、検眼表上の文字および数字の識別の精確性に関する値を記録し、かつ患者の左右の目に関して二つの値を比較することを含む。一形態において、本発明による方法は、更に、検眼表上の図形の識別の精確性に関する値を記録し、かつ図形の識別の精確性に関する値を文字および数字の識別の精確性に関する値と比較する。
【００１１】
他の形態において、本発明による方法は、更に、検眼表上の第一組および第二組の記号の識別の精確性に関する値を記録し、かつかつ二つの値を比較する。第一組の記号は第一色彩を有し、かつ第二組の記号は第二色彩を有する。一形態において、検眼表は色彩感覚の潜行性損失および経時的変化の評価を可能にする。
【００１２】
一形態において、一組の記号中の数字は３，４，６，７および９の数字で構成される。他の形態において、一組の記号中の文字はＡ，Ｅ，Ｆ，Ｈ，Ｊ，Ｋ，Ｌ，Ｐ，Ｔ，ＸおよびＹの文字で構成される。相互に混同される傾向のある文字および数字は排除されている。文字は、また、ラテン語のアルファベット以外のアルファベットの明白に区別できる文字であってよい。一形態において、少なくとも一つの記号は黒色であり、かつ少なくとももう一つの記号は赤色または緑色のいずれか一方の色である。
【００１３】
明白に区別できる記号を有するので、本発明による検眼表は医師による神経能力およびその変化の実質的に一貫性ある定量化を可能にする。視力の定量化法は、色彩視力の損失、神経疾患、薬剤処置、または網膜ジストロフィの試験および監視、検出を、彩色記号に関する視力と黒色記号に関する視力を比較することにより、可能にする。更に、文字と数字に関する視力を比較することにより、神経疾患の診断かつ監視が可能である。
【００１４】
〔発明の実施の形態〕
本願は少なくとも一つの着色図面を含む。着色図面のカラーコピーは特許庁から要求があれば必要に応じて提出できる。
【００１５】
図１は、視力を決定するために使用できる検眼表１を示す。検眼表１は記号による複数の線１２を有する。線に使用される記号１４は一組の記号から選択される。一組の記号１４は文字１６および数字１８を含む。各線１２には文字１６および数字１８が混在する。
【００１６】
文字１６はこの事例においてブロックレターである。図示形態において、所定の線内の文字１６および数字１８は実質的同一サイズである。他の形態において、各線内の文字１６および数字１８は、図２に明瞭かつ詳細に示されているように、連続線ごとにサイズが小さくなっている。
【００１７】
一組の記号における各記号は、その組内の他の記号から識別できる特徴を有する。記号の識別可能な特徴は、２０フィート（約６ｍ）の距離で記号を読むとき、および記号が２０フィート（約６ｍ）で読まれるように設計されているときに、２０／２０の視力をもつ人が各記号を間違いなく決定できるようにする。各記号は複数のストローク（工程−ｓｔｒｏｋｅ）により形成され、かつ一組内の他の記号と比較する場合に少なくとも一つの識別できるストロークを有することにより一組内の他の記号と識別される。区別できるストロークの幅は１分の弧よりも大きい。そのようにして、ストロークは所定の距離であっても、一組内の各記号を一組内の他の記号から識別できるようにする。従って、一組の記号は実質的判読可能でありかつ認識可能である。
【００１８】
一組内の各記号は、他の類似外観の記号と容易に混同されないように選択される。混同しやすくかつ非常に類似する記号は、視力の潜在的主観的記録を排斥する観点でその組から除外されている。視力の一貫性のある定量化は明白に区別できる文字１６および数字１８で構成される表を使用することにより得られる。一貫性のある定量化は神経障害の監視、および診断に役立つ。
【００１９】
次の数字が一組の記号に含まれる。即ち、３，４，６，７および９。次の文字が一組の記号に含まれる。即ち、Ａ，Ｅ，Ｆ，Ｈ，Ｊ，Ｋ，Ｌ，Ｐ，Ｔ，ＸおよびＹである。文字および数字の次の群が他の文字および数字と非常に類似するので、一組の記号から除外される。即ち、１とＩ、５，Ｓ、Ｂと８、０，ＤとＯ、Ｃ，ＧとＱ、ＭとＮ、ＲとＰ、Ｕ，ＶとＷ、および２とＺである。
【００２０】
図２は、文字１６、数字１８および図形２０による記号１４で構成される線１２を有する検眼表１０の一形態を示す。図示形態において、文字および数字は図１に関して説明した一組の記号と相違する。選択的形態において、検眼表中の文字１６および数字１８は、１０までの全数字、および２６のアルファベットの全文字を含む組から選択される。図形２０は区別でき、混同しない形状のものである。図２の図形２０は本発明の検眼表において区別できる種々の形状の図示例であり、かつ図示形状に限定されない。
【００２１】
図２の検眼表１０中の線１２の各々のフォントサイズは、スネレン表に使用されている標準スネレンサイズに基づいている。線１２（または列）が表の下方へ行くに従って、フォントサイズ１２は小さくなる。スネレンフラクション（ｆｒａｃｔｉｏｎ）はその表中の特定線に関する値である。スネレンフラクションは次の通り定義される。即ち、視力＝（文字が読まれる距離）／（文字が正常に読まれるべき距離）である。スネレン表の上列のフォントサイズはスネレンフラクション２０／２００または２０／１６０から始まり、かつ連続的列についてフォントサイズは下へ向かって、２０／１２５，２０／１００等から２０／２０へ漸次小さくなる。
【００２２】
他の形態において、記号は表の下へ向かって対数的に小さいサイズになる。更に他の形態において、記号はジャガー（Ｊａｅｇｅｒ）サイズに対応するサイズである。
【００２３】
一形態において、検眼表はリーディングカード上にある。リーディングカード中の記号はスネレンサイズまたはジャガーサイズの少なくとも一つのサイズである。
【００２４】
他の形態において、検眼表１に使用される文字１６は、外国アルファベットの１０文字である。例えば、ロシア文字、ヘブライ文字、ギリシャ文字、およびアラビア文字が検眼表に使用される。
【００２５】
一組中の他の記号から容易に識別できない文字は視力評価の潜在的主観的登録を回避するために除外される。
【００２６】
例えば、ロシア語から次の文字、および３および６の数字は一組の記号から除外される。
【００２７】
【外１】
2004512077.tif 000003
【００２８】
ロシア語から次の文字は一組の記号に含まれる。
【００２９】
【外２】
2004512077.tif 000004
【００３０】
ヘブライ語から次の文字は一組の記号から除外される。
【００３１】
【外３】
2004512077.tif 000005
【００３２】
ヘブライ語から次の文字は一組の記号に含まれる。
【００３３】
【外４】
2004512077.tif 000006
【００３４】
ギリシャ語から次の文字は一組の記号から除外される。
【００３５】
【外５】
2004512077.tif 000007
【００３６】
ギリシャ語から次の文字は一組の記号に含まれる。
【００３７】
【外６】
2004512077.tif 000008
【００３８】
人が検眼表１，１０上の所定線１２内の記号を精確に識別した後に、線１２に関する値が医師により記録される。患者が所定線１２を精確に読む場合には、医師は更に小さいサイズのフォントで構成される線１２を読ませる。患者がその線内の記号を精確に読むことができない場合には、医師は先に読んだ線に対応する値を記録する。患者が数字を読むことができるが、その線内の文字を読むことができない場合には、医師は数字に関する視力に関する第一値を記録し、かつ文字に関して視力に対応する第二値を記録する。これらの二つの値は更に後述するように相互に対して比較されてよい。左右の目について患者のスコアが記録される。
【００３９】
図１および２の検眼表は、記録された値を比較することにより、神経疾患および障害、特に、アルツハイマの試験、監視および診断に役立つ。更に、検眼表は臨床処置の評価、患者の薬に対する反応および臨床処置の経過の監視に役立ち、かつ異なる眼科および神経疾患および障害の研究に役立つ。検眼表は、視力を一貫して精確に測定することにより、かつ異なるレベルの精神的認識によって識別することによりかかる評価、研究に役立つ。
【００４０】
検眼表１，１０中の文字１６よりも数字１８を精確に識別する能力は、神経疾患の徴候であってよい。その理由は、数字は典型的には文字よりも抽象的思考を必要としないからである。検眼表中の数字に関する視力に対応する記録値は調整データの作用をする。文字に関連する記録値が数字に関する記録値よりも悪い場合、アルツハイマ等の神経疾患または障害が懸念される。続く患者の試験および診断は同様に行なわれるべきであるが、異なるタイプの記号を含む検眼表の利用は予備スクリーニングを行なう迅速かつコスト効率的方法である。
【００４１】
識別可能記号の使用は、記録される値が潜在的誤謬を最小限にするので神経疾患の評価に役立つ。かかる値は同様条件について一貫性があり、かつ適正値の評価における主観性の余地を小さくする。従って、文字および数字に関する記録値が非常に接近している場合には、神経疾患の可能性は小さい。文字および数字に関する記録値が離れている場合には、神経疾患の危険性は大きい。
【００４２】
更に、数字かつ／または文字よりも検眼表中の図形をより精確に識別する能力は、神経疾患の徴候であり得る。その理由は、図形は典型的には数字かつ／または文字よも抽象的思考を要求しないからである。図２の検眼表から、検眼表上の図形の確認の精確性に関する値が記録される。この値は、文字および数字の確認の精確性に関する値と比較される。視力に関する値が数字および文字についてよりも図形について小さい場合、これは神経疾患または障害の指標であり得る。
【００４３】
一形態において、検眼表の線１２内の記号１４は、図１に示されたように、異なる色を有する。検眼表中の記号はいずれの色彩または色彩の組み合わせであってもよい。例えば、図１において、各線１２内の記号の半分は黒色、かつ他の半分は赤色であってよい。数字１８の幾つかは赤、幾つかは黒であり、かつ文字１６の幾つかは赤であり、他の幾つかは黒であってよい。一形態において、赤色の記号と黒色の記号が検眼表全体にランダムに分布してよい（図３参照）。
【００４４】
上述した方法において、医師は図１の赤色の記号および黒色の記号の認識の精確性を記録する。色彩感覚、更に具体的には赤の彩色飽和（ｓｔｕｒａｔｉｏｎ）が多発性硬化症（Ｍｕｌｔｉｐｌｅ Ｓｃｌｅｒｏｓｉｓ）等の或る視覚神経疾患においては視力よりも更に迅速に低下する。黒色の記号の視力の記録値と赤色の記号の視力の記録値とを比較することにより、赤色認識が低下したかを決定することができる。正常の網膜はについて、黒色と比較した場合に赤色に関する視力は高い。赤色に関して記録された視力値が黒色記号の視力値よりも良くない場合には、多発生硬化症等の神経疾患または障害が懸念される。赤色の記号と黒色の記号の記録値間の差異が大きければ大きいほど、赤色認知力は低下する。
【００４５】
色彩感覚の低下を決定することに加えて、その低下の定量化は図１の検眼表の使用から可能である。患者の色彩感覚に関する経過は、所定試験に関して黒色記号（標準視力）の認識の精確性と赤色記号（赤色視力）の認識の精確性を比較することにより経時的に監視する。経過を監視するために先の試験結果を現在の試験結果と比較する。従って、図１の検眼表を使用し、文字と数字間の認識の精確性を比較することにより、アルツハイマ等の神経疾患のための試験だけでなく、異なる色彩の記号間での認識の精確性を比較することにより色彩視力の損失について試験をする。
【００４６】
他の形態において、赤色または黒色に彩色された検眼表中の記号１４は区別できない信号である（図示されていない）。例えば、検眼表上の所定線１２に赤色の「Ｂ」、黒色の「１」と赤色の「Ｍ」がある。一形態において、図２に示されたような図形が単一色または黒以外の様々な色で彩色されてよい。
【００４７】
図３は、第一彩色による第一記号２４、および第二彩色による第二記号２６を含む記号１４を有する線１２をもつ検眼表５を示す。第一および第二記号は実質的に同一サイズおよび識別できる特徴を有し、そのようにして各記号が実質的に同一に判読可能である。本発明において、第一記号２４は黒であり、かつ第二記号２６は赤である。検眼表５中の記号１４は様々な配向の文字「Ｅ」である。
【００４８】
Ｅが回転している表、またはＨＯＴＶ表で行なわれるマッチングテストを使用して、異なる色彩の記号を含む図形またはブロックが色彩感覚の変化の定量化を可能にする。これらの表は、特に、発作を有する人、子供、大人の失語症患者および文盲者の色彩感覚の変化を監視するのに有用である。検眼表上の第一彩色記号および第二彩色記号の各々の認識の精確性に関する値は記録される。そこで、記録値は上述のごとく相互に対して比較される。
【００４９】
検眼表１，５，１０の背景３０は白色である。ただし、一形態において、記号の色彩および背景の色彩は反転させてよく、従って、記号は白であり、背景は黒であってよい（図示せず）。他の形態において、検眼表の背景はダークグレーである。ダークグレーの背景は赤色を観察する能力を強調し、かつ特に赤色記号に有益である。ダークグレーの背景上の検眼表を観察する正常視力を有する患者は、典型的には、黒色記号よりも赤色記号をより良く観察する。ただし、進行した赤色脱飽和（ｄｅｓａｔｕｒａｔｉｏｎ）による患者は同一検眼表を観察しても典型的には黒色記号と同じ視力で赤色記号を観察する。
【００５０】
図４に示されたような他の形態において、検眼表１は、赤色と黄色の模様をもつ彩色かつ模様付き背景３０上に区別できる記号１４を有する。この例において、文字「Ｋ」および「Ｙ」は黒であり、他方、数字「４」は緑色である。他の表に関し、ペールイエローまたはブライトレッドの背景が使用できる。色盲試験において、レッドパープルおよびグレーのドット、およびレッドイエローのドット等による背景色彩が有用である。かかる背景色彩はイシハラ（Ｉｓｈｉｈａｒａ）プレートの標準カラーである。例えば、「９」の緑散点数字および「３」の青緑散点数字が赤と赤紫散点または赤と灰色散点間に配置されてよい。特定タイプの色盲の人は青緑および赤を灰色と見る。従って、その人は「３」の数字を視認できず、「９」の数字をライトイエローと視認できる。他のタイプの色盲の人は「９」の数字を視認できず、グレーに見える他の点よりも僅かにブルーに見える「３」の数字を視認できる。
【００５１】
彩色背景の結果として、色盲について患者を試験するだけでなく、色彩視力に影響する進行疾患について監視できる。ジゴキシン（ｄｉｇｏｘｉｎ）等の或る処方薬は、血液レベルが高すぎる場合に患者に色彩ゆがみを生じさせる。彩色背景をもつ検眼表は、血液検査をすることなく血液レベルを監視するのに使用できる。血液レベルが有毒レベルに上昇するにつれて、特定薬用に構成された表の色彩視力は低下する。例えば、ジゴキシンは黄色視覚の原因となるので、白色背景の検眼表上での視覚の比較が黄色背景の検眼表による視覚比較よりも良い。同様に、網膜ジストロフィの経過は、網膜電位図を使用することなく、同様方法により監視できる。上述の検眼表または変形態は白、彩色、または模様付き背景を有するものであってよい。
【００５２】
本発明の種々の形態を示しかつ説明したが、ここに記載の本発明の概念から逸脱することなく他の多くの改良が可能であることは当業者に明かであろう。例えば、「表」の用語は所定距離（ａ ｄｉｓｔａｎｃｅ ｃｈａｒｔ）表を示すのみならず、遠隔表（ｆａｒ ｃｈａｒｔｓ）、接近表（ｎｅａｒ ｃｈａｒｔｓ）、カード等の携帯表を含む。カードは紙またはプラスチックであってよく、ＨＯＴＶマッチングテストに概ね使用されている。「表」は、また、電子表、透明表、および一瞬に一列の記号を含む投影に関する。
【００５３】
従って、本発明は特許請求の範囲において、ここに説明した以外の方法で実施できると理解されるべきである。
【図面の簡単な説明】
【図１】
第一色を付けた文字および数字の線および第二色を付けた文字および数字の線を有する本発明の表である。
【図２】
文字、数字および図形による複数の線を有する表である。
【図３】
第一色を付けた幾つかの記号および第二色を付けた他の記号を有するタンブリング・イー（Ｔｕｍｂｌｉｎｇ Ｅ）表である。
【図４】
着色模様付き背景上の着色記号を有する表である。
【図１】
2004512077.tif 000009
【図３】
2004512077.tif 000010
【図４】
2004512077.tif 000011
【国際公開パンフレット】
2004512077.tif 000012
2004512077.tif 000013
2004512077.tif 000014
2004512077.tif 000015
2004512077.tif 000016
2004512077.tif 000017
2004512077.tif 000018
2004512077.tif 000019
2004512077.tif 000020
2004512077.tif 000021
2004512077.tif 000022
2004512077.tif 000023
2004512077.tif 000024
2004512077.tif 000025
2004512077.tif 000026